(57)【要約】【課題】メモリ容量を気にせずデジタルデータを発生させて貯え且つ自動バックアップ可能な携帯機器を提供する。【解決手段】携帯機器１は、データを蓄積するローカルデータ記憶装置１４、データを発生するデジタルデータ発生装置１２、表示装置１３、ＩＤデータを管理するデータ管理装置１５、サーバ２との無線通信装置１６、ＭＰＵ１１を有する。ホームサーバ２は、携帯機器１との通信装置２３と、携帯機器１等から送られてきたデジタルデータを全て蓄積するグローバルデータ記憶装置２４、ここに格納されているデジタルデータの内容を管理するデータ管理装置２２とを有する。ＩＤデータはデジタルデータが記憶装置１４又は２４のいずれか或いは双方にある旨の情報を示すデータである。携帯機器１のメモリを自動的又は使用者の指示によりサーバ２に送信又は受信し、携帯機器１のメモリがＩＤデータの格納領域を含めてメモリフルになるのを自主的に回避する。【選択図】　　　　図１
2004013628.tif 000002
【特許請求の範囲】
【請求項１】
ネットワークを介して携帯機器と接続可能なサーバを利用して、該携帯機器に蓄積されたデジタルデータの一部又は全部のデータの保存を行うためのデータ保存システムであって、
前記携帯機器は、デジタルデータを発生するデジタルデータ発生装置と、デジタルデータを蓄積するローカルデータ記憶装置と、デジタルデータを表示するための表示装置又は表示信号出力装置と、デジタルデータに係わるＩＤデータを管理するデータ管理装置と、前記サーバとのデジタルデータの送受信を無線通信で行うための無線通信装置と、それらを制御する制御装置とを有し、
前記サーバは、前記携帯機器とのデジタルデータの送受信を無線又は有線通信で行うための通信装置と、前記携帯機器又は該携帯機器及びその他の機器から送られてきたデジタルデータを蓄積するグローバルデータ記憶装置と、該グローバルデータ記憶装置に格納されているデジタルデータの内容を管理するデータ管理装置と、それらを制御する制御装置とを有し、
前記ＩＤデータは、デジタルデータが前記ローカルデータ記憶装置及びグローバルデータ記憶装置のいずれか一方に格納されているか、或いは双方に格納されているかを示す情報を少なくとも含み、
前記携帯機器は、自動的に或いは使用者の指示により前記サーバとの間でデータの送信又は受信を行い、前記携帯機器におけるデジタルデータ及びＩＤデータの格納領域がフルとなることを避ける回避手段を有することを特徴とするデータ保存システム。
【請求項２】
前記回避手段は、前記ＩＤデータに基づいて、前記ローカルデータ記憶装置及びグローバルデータ記憶装置の双方にあるデジタルデータを優先して、前記ローカルデータ記憶装置から削除する手段を有することを特徴とする請求項１記載のデータ保存システム。
【請求項３】
前記回避手段は、発生した全てのデジタルデータを自動的に前記グローバルデータ記憶装置に蓄積する手段を有することを特徴とする請求項１又は２記載のデータ保存システム。
【請求項４】
前記携帯機器側及びサーバ側のデータ管理装置は、デジタルデータの種類を管理する手段を有し、当該データ保存システムは、任意の機器から、同種の又は互換性のあるデジタルデータを生成する他の機器が生成した前記サーバ内のデジタルデータにもアクセスできることを特徴とする請求項１乃至３のいずれか１記載のデータ保存システム。
【請求項５】
請求項１乃至４のいずれか１記載のデータ保存システムにおける携帯機器。
【発明の詳細な説明】
【０００１】
【発明の属する技術分野】
本発明は、携帯機器におけるデータ保存システム及びその携帯機器に関し、より詳細には、携帯機器のファイル管理機能としてのデータ保存システム及びその携帯機器に関する。
【０００２】
【従来の技術】
近年、デジタルカメラ，デジタル音声録音装置，デジタル動画記録装置など、その機器を携帯しデジタルデータを蓄積することで、便利に使えるような携帯機器（モバイル機器）が増加しつつある。
【０００３】
そのような携帯機器においてメモリの容量の問題は重要な問題である。美しい映像や画像を蓄積するには大量のメモリが必要であるが、携帯機器は固定サイズのメモリしか内蔵されていないため、そのような大きなデータは扱えない。そこで、多少画質や音質を落としメモリ占有量を小さくすることで、多くのデータを蓄積できるように工夫している。しかし、それでも、蓄積できる画像の総量や映像の時間は制限される。
【０００４】
そこで、最近は携帯機器の内蔵メモリを交換できるようなメモリパックをつくり、メモリサイズを実質的に無限に使えるようにしている。しかしながら、実際はメモリパックを無限に持って歩いているわけではなく、その数は固定であり大きな容量は期待できない。また、多くのメモリパックを持って歩かなければならなくなると、携帯性を損なう要因にもなってしまう。
【０００５】
現状では、内蔵メモリやメモリパックから、携帯用のパソコンなどにデータを転送することによりこの問題を解決するのが一般的である。しかし、この場合、デジタルカメラなどと共に携帯用パソコンと接続ケーブルなど多くの小物を持って歩くことになり、実際には気軽に携帯しているといった風ではなく、重装備をしているような格好になる。
【０００６】
また、携帯機器はその携帯性から紛失や破損の可能性があり、常にデジタルデータのバックアップを採っておくことは大切な作業である。しかし、一般的にバックアップの作業はデジタル機器に慣れている人でないと難しいという現実があり、たいていの人はバックアップせずに携帯機器を持ち歩いている。その場合、携帯機器を紛失破損した場合は大きな損害を招くことになる。
【０００７】
図８は、従来技術による携帯機器の構成を示す図で、図８中、１００は従来の携帯機器を示す。携帯機器１００は、デジタルデータを発生するデジタルデータ発生装置１０２、ローカルデータ記憶装置１０４、表示装置（又は表示信号出力装置）１０３、及び各装置１０２〜１０４を制御するＭＰＵ１０１を備え、それらがバス上で接続されているものとする。携帯機器１００による動作として、まず、デジタルデータ発生装置１０２で発生したデジタルデータはＭＰＵ１０１によりローカルデータ記憶装置１０４に保存される。正確にはＭＰＵ１０１がデジタルデータ発生装置１０２で発生したデータを加工してファイルを生成し、ローカルデータ記憶装置１０４に保存する。このファイルを閲覧したいときにはローカルデータ記憶装置１０４から指定されたファイルを読み出し、変換を行ない表示装置１０３に表示する。
【０００８】
通常、ローカルデータ記憶装置１０４にファイルを書き込む空き容量が無くなった時点で、それ以上のデータは発生させられなくなっており、もし新たなデータの発生を行いたい場合にはローカルデータ記憶装置１０４のファイルをいくつか消去するしかない。消去するファイルが見当たらない場合は、ファイルをパソコンなどに転送し、ローカルデータ記憶装置１０４を空ける必要がある。しかし、この場合は携帯用のパソコンを持ち歩いているか、据え置き型パソコンに容易にたどり着けるような行動範囲にいなければならない。また、携帯機器１００を紛失してしまった場合は、旅行中などの理由でまだバックアップを採っていないファイルは失われることになる。
【０００９】
次に、より具体的な例として、携帯機器１００としてデジタルカメラを取り上げ、その動作を述べる。なお、図８においては括弧内にデジタルカメラの場合の対応する装置を示している。デジタルカメラ１００は、デジタルデータ発生装置としてＣＣＤカメラ１０２、データ記憶装置として内蔵メモリ１０４、表示装置として液晶ディスプレイ１０３を有しており、それらをＭＰＵ１０１によって制御している。通常、ＣＣＤカメラ１０２により撮影された映像はＭＰＵ１０１により内蔵メモリ１０４に保存される。正確にはＭＰＵ１０１がＣＣＤカメラ１０２のデータを加工して画像ファイルを生成し、内蔵メモリ１０４に保存する。画像ファイルの閲覧時には内蔵メモリ１０４から指定された画像ファイルを読み出し、変換を行ない液晶ディスプレイ１０３に表示する。
【００１０】
通常、内蔵メモリ１０４に画像ファイルを書き込む空き容量が無くなった時点で、それ以上の撮影はできない。もし、撮影を続けたい場合には内蔵メモリ１０４の画像ファイルをいくつか消去するしかない。消去する画像ファイルが見当たらない場合は、画像ファイルをパソコンなどに転送し、内蔵メモリ１０４を空ける必要がある。しかし、この場合は携帯用のパソコンを持ち歩いているか、据え置き型パソコンに容易にたどり着けるような行動範囲にいなければならない。また、デジタルカメラ１００を紛失してしまった場合は、旅行中などの理由でまだバックアップを採っていない画像ファイルは失われることになる。
【００１１】
【発明が解決しようとする課題】
本発明は、上述のごとき実状に鑑みてなされたものであり、携帯機器だけを携帯するだけで、メモリの容量を気にせずにデジタルデータを発生させ貯えることが可能な、さらにこのデジタルデータを自動的にバックアップすることが可能な、携帯機器及びその携帯機器を実現するためのデータ保存システムを提供することをその目的とする。
【００１２】
また、本発明は、これらの携帯機器において他の任意の機器からのデジタルデータにもアクセスすることが可能な、携帯機器及びその携帯機器を実現するためのデータ保存システムを提供することを他の目的とする。
【００１３】
【課題を解決するための手段】
本発明は、サーバを利用し、携帯機器をこのサーバに接続し、デジタルデータが発生した、或いは発生していることが判定できたときに、サーバにデータを転送することにより、いつも携帯機器の内蔵メモリを十分な量だけ空けておくよう構成したデータ保存システム、及びそのデータ保存システムを利用した携帯機器であり、以下の各技術手段により構成される。
【００１４】
第１の技術手段は、ネットワークを介して携帯機器と接続可能なサーバを利用して、該携帯機器に蓄積されたデジタルデータの一部又は全部のデータの保存を行うためのデータ保存システムであって、前記携帯機器は、デジタルデータを発生するデジタルデータ発生装置と、デジタルデータを蓄積するローカルデータ記憶装置と、デジタルデータを表示するための表示装置又は表示信号出力装置と、デジタルデータに係わるＩＤデータを管理するデータ管理装置と、前記サーバとのデジタルデータの送受信を無線通信で行うための無線通信装置と、それらを制御する制御装置とを有し、前記サーバは、前記携帯機器とのデジタルデータの送受信を無線又は有線通信で行うための通信装置と、前記携帯機器又は該携帯機器及びその他の機器から送られてきたデジタルデータを蓄積するグローバルデータ記憶装置と、該グローバルデータ記憶装置に格納されているデジタルデータの内容を管理するデータ管理装置と、それらを制御する制御装置とを有し、前記ＩＤデータは、デジタルデータが前記ローカルデータ記憶装置及びグローバルデータ記憶装置のいずれか一方に格納されているか、或いは双方に格納されているかを示す情報を少なくとも含み、前記携帯機器は、自動的に或いは使用者の指示により前記サーバとの間でデータの送信又は受信を行い、前記携帯機器におけるデジタルデータ及びＩＤデータの格納領域がフルとなることを避ける回避手段を有することを特徴としたものである。
【００１５】
第２の技術手段は、第１の技術手段において、前記回避手段は、前記ＩＤデータに基づいて、前記ローカルデータ記憶装置及びグローバルデータ記憶装置の双方にあるデジタルデータを優先して、前記ローカルデータ記憶装置から削除する手段を有することを特徴としたものである。
【００１６】
第３の技術手段は、第１又は第２の技術手段において、前記回避手段は、発生した全てのデジタルデータを自動的に前記グローバルデータ記憶装置に蓄積する手段を有することを特徴としたものである。
【００１７】
第４の技術手段は、第１乃至第３のいずれか１の技術手段において、前記携帯機器側及びサーバ側のデータ管理装置は、デジタルデータの種類を管理する手段を有し、当該データ保存システムは、任意の機器から、同種の又は互換性のあるデジタルデータを生成する他の機器が生成した前記サーバ内のデジタルデータにもアクセスできることを特徴としたものである。
【００１８】
第５の技術手段は、第１乃至第４のいずれか１の技術手段に記載のデータ保存システムにおける携帯機器である。
【００１９】
【発明の実施の形態】
図１は、本発明の一実施形態に係る携帯機器におけるデータ保存システムの一構成例を示す図である。
本発明による携帯機器１におけるデータを自動的に保存する自動データ保存機能は、携帯機器１とそれにネットワーク接続可能なサーバとに係わる機能である。なお、図１においてはこのサーバとして家庭内にデジタルデータを蓄積するようなホームサーバ２を例示しているが、通常のサーバでもその基本的な部分は同様であり、まず通常のサーバを利用したシステムを説明する。
【００２０】
携帯機器１は、デジタルデータを蓄積するローカルデータ記憶装置１４と、デジタルデータを発生するデジタルデータ発生装置１２と、デジタルデータを表示するための表示装置又は表示信号出力装置１３と、ＩＤデータを管理するデータ管理装置１５と、デジタルデータを無線通信でサーバ２に送信・受信するための無線通信装置１６と、それらを制御するためのＭＰＵ（Ｍｉｃｒｏ　Ｐｒｏｃｅｓｓｉｎｇ　Ｕｎｉｔ；ただし他の制御装置でもよい）１１とを有するものとする。なお、デジタルデータ発生装置１２はデジタルデータを生成するデジタルデータ生成装置ともいえ、デジタルデータとしては画像データ，動画像データ，音声データなどが挙げられる。一方、サーバ２は、携帯機器１からデジタルデータを無線或いは有線通信で送受信するための通信装置２３と、携帯機器１やその他の機器から送られてきたデジタルデータを全て蓄積するためのグローバルデータ記憶装置２４と、グローバルデータ記憶装置２４に格納されているデジタルデータの内容を管理するためのデータ管理装置２２とを有するものとする。
【００２１】
ここで、ＩＤデータとは、デジタルデータがローカルデータ記憶装置１４又はグローバルデータ記憶装置２４のどちらか、或いはどちらにもあるという情報（ローカルデータとグローバルデータとの対応情報ともいえる）を主として示すデータである。さらに、本発明に係わる携帯機器１は、自動的に或いは使用者の指示によりサーバ２との間でデータの送信又は受信を行い、携帯機器１におけるデジタルデータ及びＩＤデータの格納領域がフルとなることを避ける回避手段を有するものとする。すなわち、このデータ保存システムは、携帯機器１のメモリを自動的或いは使用者の指示によりサーバ２に送信又は受信し、携帯機器１のメモリがＩＤデータの格納領域を含めてメモリフルになるのを自主的に回避する機能を備えるものとする。また、このデータ保存システムは、保存されるデータを中心とした観点に立てば、デジタルデータを蓄積するような用途をもつ携帯機器を使ったデータ自動転送システムともいえる。
【００２２】
本発明の他の実施形態として、上述した回避手段では、ＩＤデータに基づいて、ローカルデータ記憶装置１４及びグローバルデータ記憶装置２４の双方にあるデジタルデータを優先して、ローカルデータ記憶装置１４から削除するようにすることが好ましい。また、他の実施形態として、各実施形態における回避手段では、発生した全てのデジタルデータを自動的にグローバルデータ記憶装置２４に蓄積するよう、すなわち自動的にバックアップするようにすることが好ましい。また、他の実施形態として、上述した各実施形態における携帯機器側及びサーバ側のデータ管理装置に、デジタルデータの種類を管理する手段を備えるようにし、任意の機器から、同種の又は互換性のあるデジタルデータを生成する他の機器が生成したサーバ２内のデジタルデータにもアクセス可能としてもよい。
【００２３】
サーバの形態としては、携帯機器１の使用者が携帯機器１にてネットワーク３に接続するためのサーバ（インターネット接続の場合はＷｅｂサーバなど）、携帯機器１或いはその使用者を認証するための認証サーバ、グローバルデータ記憶装置２４におけるデータをデータベース（ＤＢ）として管理するのであればＤＢを管理するためのＤＢ管理サーバ（データ管理装置２２に対応）等、階層構造をもったサーバ機能をもつコンピュータとしてもよく、実際には上述及び後述する各装置を制御し機能させるためのプログラム、或いは各装置の一部又は全部としてコンピュータを機能させるためのプログラムが格納されていればよい。また、説明上サーバ２を１つの装置として図示しているが、上述のごとく様々な種類のネットワークを介して分散させてもよいことは言及するまでもない。また、本システムのサーバを、ＩＤＣ（インターネットデータセンタ）の事業者などが管理し、そこに設置し、ネットワークを介して各使用者の携帯機器にデータ保管サービスを提供するような形態を採用してもよい。
【００２４】
また、本明細書におけるネットワーク３としては、有線，無線に限らず専用回線（光ファイバなどの回線も含む），電話回線などで接続されたインターネットや、インターネット技術を利用したイントラネット，エクストラネット、さらには専用回線を使用する場合でもＷＡＮ（Ｗｉｄｅ　Ａｒｅａ　Ｎｅｔｗｏｒｋ）やＭＡＮ（Ｍｅｔｒｏｐｏｌｉｔａｎ　Ａｒｅａ　Ｎｅｔｗｏｒｋ）に限らずサーバの設置場所によってはＬＡＮ（Ｌｏｃａｌ　Ａｒｅａ　Ｎｅｔｗｏｒｋ）で構成される形態も採り得る。ただし、携帯機器からサーバに接続するためのネットワークであるので、少なくとも携帯機器から中継局までは無線回線を利用することとなる。しかしながら、この携帯機器を汎用コンピュータ（ＰＣ）に接続して本発明に係わるデータ保存を実行可能とする装備を携帯機器に設けておいてもよい。また、このネットワークは、専用回線の使用、伝送データの暗号化、各クライアントを使用する使用者の認証など様々な方法によるセキュリティの強化を実施することが好ましい。
【００２５】
以下、サーバとして本発明の適用が最も効果的に行われると予想されるホームサーバを例に本発明の各実施形態を説明する。現在、ホームネットワークに関する研究が盛んになされており、家庭内にデジタルデータを蓄積するようなシステム（ホームサーバ）の改良も進んでいる。そこで、本発明では携帯機器１をこのホームサーバ２に接続し、デジタルデータが発生した、或いは発生していることを判定できたときに、ホームサーバ２にデータを転送することにより、いつも携帯機器１の内蔵メモリを十分な量だけ空けておくといったデータ保存システムを提案する。ホームサーバ２と携帯機器１をつなぐための回線は、携帯電話などの無線回線を利用することが考えられる。電話回線は高速化し、携帯機器のデータ転送に耐えられるものになることは確実であり、本発明のような携帯機器の実現は十分可能である。なお、携帯機器１の一形態として携帯電話自体や、ＰＤＡなども採用可能であることは言及するまでもない。
【００２６】
（実施例１）
以下、携帯機器１としてデジタルカメラを例に説明する。この場合、デジタルデータ発生装置１２はＣＣＤカメラであり、デジタルデータは画像ファイルとなる。また、デジタルカメラには表示装置１３として液晶ディスプレイ装置が付いている。以後、簡単のためにこのように言葉を置き換えて説明する。なお、ローカルデータ記憶装置１４は内蔵メモリに相当することになる。これについてはわかりやすい表現の方を選んで説明する。
【００２７】
本発明では、ＣＣＤカメラ１２により撮影された映像データがＭＰＵ１１により加工されるところまでは従来例と同じだが、内蔵メモリ１４に画像ファイルを書き込むときに、まずデータ管理装置１５にアクセスするものとする。また、画像ファイルを表示するときに、直接内蔵メモリ１４の画像ファイルをアクセスするのではなく、データ管理装置１５にアクセスしたのち画像ファイルを表示する必要がある。
【００２８】
ここで、本発明の中核をなすデータ管理装置１５について説明を行なう。データ管理装置１５は、内蔵メモリ１４やグローバルデータ記憶装置２４に格納されている画像ファイルのＩＤを管理する装置で、新しいＩＤを生成する機能と、指定されたＩＤに割付けられたデジタルデータが、内蔵メモリ１４かグローバルデータ記憶装置２４のどちらに、或いはどちらにも格納されているという情報を管理する機能（格納場所を判定する機能も含む）とを有している。また、データ管理装置１５は、上述した回避手段の機能として、内蔵メモリ１４の残り容量を確保する機能を持つ。さらに、判定する機能としては、携帯機器１のデータ管理装置１５で直接判定のできないＩＤに関しては、自動的に無線通信装置１６を使いホームサーバ２側のデータ管理装置２２に問い合わせる機能も持っている。
【００２９】
図２は、本発明の一実施形態に係るデータ保存システムにおいて取り扱うＩＤデータの一例を示す図である。
まず、新しいＩＤを生成する機能とＩＤ（しばしばＩＤ番号と呼ぶ）について説明を行なう。このＩＤは半永久的に同じＩＤが生成されないようなものである必要がある。内蔵メモリ１４とグローバルデータ記憶装置２４のどちらにも、同じファイルに対して同じＩＤは存在しないものとする。例えば図２に示すＩＤ番号４１のように、携帯機器のＩＤ番号４１ａ（″００１″）＋撮影日付４１ｂ（″１９９８０８１１″）＋その日の撮影番号４１ｃ（″０００００１″）という形をとったＩＤ番号が挙げられ、この場合ＩＤ番号は″００１１９９８０８１１０００００１″となる。このようにすることにより同じＩＤ番号が生成されることはない。また、ＩＤ番号の生成方法にしても、最後に生成したＩＤがわかっていれば簡単に生成できるという利点もある。最後の撮影日付と現在の日付を比較し同じであれば、撮影番号を加算しＩＤ番号とすればよいし、異なれば撮影日付を現在の日付とし撮影番号１のものをＩＤ番号とすればよい。また、機器ＩＤ４１ａはホームサーバ２により与えられた情報である。ホームサーバ２に携帯機器１を登録したときに、この機器ＩＤがホームサーバ２のデータ管理装置２２から与えられ、同じホームサーバ２に管理されている携帯機器はこの値が同じになることはない。
【００３０】
データ管理装置１５は、上述のごとく生成されたＩＤ番号と同時に、ローカルとグローバルのどちらの記憶装置に、どのようなファイル名で、いくらのファイルサイズのファイルが登録されたかというデータを一緒に記憶する。これにより、ＩＤを使った問い合わせを行うことで、画像ファイルの記憶場所とファイル名やファイルサイズなどを知ることができる。以降、ＩＤ番号４１と画像ファイルの記憶場所のデータ４２とファイル名４３とファイルサイズ（図示せず）などのセットをＩＤデータ４０と呼ぶ。また、これを格納するメモリをＩＤデータメモリと呼ぶ。このメモリはデータ管理装置１５，２２がそれぞれ内包する記憶装置であるが（図示せず）、物理上データ記憶装置１４，２４の格納領域の一部を占めていてもよいし、別途格納領域を用意しておいてもよい。
【００３１】
図３は、本発明の一実施形態に係るデータ保存システムにおける携帯機器側及びホームサーバ側のＩＤデータメモリの内容例を示す図である。
携帯機器１側のデータ管理装置１５に記憶されるＩＤデータ（ＩＤデータ群）４５は、内蔵メモリ１４に記憶されている画像ファイルに対応するＩＤデータ全てと、ホームサーバ２のグローバルデータ記憶装置２４に記憶されている画像ファイルに対応するＩＤデータのいくつかである。少なくとも内蔵メモリ１４にある画像ファイルに対応するＩＤデータは、全て携帯機器１側のデータ管理装置１５に記憶される必要がある。ここで、ＩＤデータ４５としてはＩＤ番号４５ａ，記憶場所４５ｂ，保存ファイル名４５ｃ，ファイルサイズ４５ｄなどが図３に示す格納状態で格納されているものとする。記憶場所４５ｂに関し、図３においてはその表記例として、携帯機器１側に記憶されている場合には″ｌｏｃａｌ″、ホームサーバ２側に記憶されている場合には″ｇｌｏｂａｌ″と表している。一方、ホームサーバ２側のデータ管理装置２２に記憶されるＩＤデータ（ＩＤデータ群）４６は、グローバルデータ記憶装置２４に記憶されている画像ファイルに対応したＩＤデータ全てが格納されている。ここで、ＩＤデータ４６としてはＩＤ番号４６ａ，記憶場所４６ｂ，保存ファイル名４６ｃ，ファイルサイズ４６ｄなどが図３に示す格納状態で格納されているものとする。
【００３２】
次に、指定されたＩＤのデジタルデータを内蔵メモリ１４かグローバルデータ記憶装置２４のどちらから取り出すべきか判定する機能を説明する。
携帯機器側のデータ管理装置１５はＭＰＵ１１からＩＤを指定されると、そのＩＤに一致するＩＤデータがデータ管理装置１５にあるか調査し、ある場合はそのＩＤデータを取り出す。携帯機器１側のデータ管理装置１５にデータが無い場合は、自動的にホームサーバ２側のデータ管理装置２２に無線通信を行いホームサーバ２側のデータ管理装置２２にＩＤデータがあればそれを取得する。その後、ＩＤデータをＭＰＵ１１に返すことにより、指定されたＩＤのデジタルデータが内蔵メモリ１４にあるか、グローバルデータ記憶装置２４にあるかを示す。また、同時にファイル名やファイルサイズの情報なども示すようにしておけばよい。
【００３３】
次に、内蔵メモリ１４の残り容量を確保する機能の一部としての、自動的にデジタルデータをバックアップする機能について説明する。
図４は、本発明の一実施形態に係るデータ保存システムにおける携帯機器からホームサーバへのファイル転送時のＩＤデータメモリ内のＩＤデータ処理方法の一例を説明するための図である。
内蔵メモリ１４に画像ファイルが生成されると、自動的に無線通信装置１６及び通信装置２３を介してグローバルデータ記憶装置２４に画像ファイルを転送し、バックアップを行う。このとき、ＭＰＵ１１にもこの通信が発生したことを通知し、ＭＰＵ１１は使用者に無線通信中であることを警告する。これは、無線通信中であることを使用者に掲示すると共に、通信の阻害になるような行動（電源を切るなど）を取らないように警告するためである。
【００３４】
今、携帯機器１側のＩＤデータメモリ内にＩＤデータ（ＩＤデータ群）５１が、ホームサーバ２側のＩＤデータメモリ内にＩＤデータ（ＩＤデータ群）５２が、それぞれ記憶されており、ＩＤデータ群５１のファイルうちのファイル″ｄｓｃ００２３３５．ｊｐｇ″（ＩＤデータ５３に対応）が転送される場合を考える。グローバルデータ記憶装置２４に画像ファイルを転送した後、ＭＰＵ１１は画像ファイルのＩＤデータ５３をホームサーバ２側のデータ管理装置２２に転送する（実際には転送するよう制御する）。ホームサーバ２では転送の結果に従ってＩＤデータ群５２にＩＤデータ５３に対応するＩＤデータ５４′を記憶し、ＩＤデータ群５６とする。ここでは転送の結果、ホームサーバ２側には″ｄｓｃ００２３３５．ｊｐｇ″に係わるファイルがＩＤデータ５４′として記憶されており、そのＩＤ記憶場所データ５８は″ｇｌｏｂａｌ″となる。携帯機器１側では、ホームサーバ２から、転送の結果に従い変更されたＩＤデータ５４を受信し、ＩＤデータ群５５とする。ＩＤデータ５４のように受信したＩＤデータの記憶場所データが″ｇｌｏｂａｌ″になっている場合（ファイルのバックアップ時には常に″ｇｌｏｂａｌ″となっている）は、携帯機器１側の対応するＩＤデータ５３′に、画像ファイルが消去可能であるというマークをつける。このマークがついた画像ファイルは内蔵メモリ１４が足りなくなると消去される対象となる。このマークは例えば記憶場所データ５７が″ｌｏｃａｌ／ｇｌｏｂａｌ″つまり、内蔵メモリ１４とグローバルデータ記憶装置２４の双方に画像ファイルがあることを示すことで表わすことも可能である。
【００３５】
このとき同時に、携帯機器側のＩＤデータの他の内容もホームサーバ２側から受信したＩＤデータの内容に更新する。例えば、ファイル名がホームサーバ２側の都合で変更されていれば、携帯機器１側のＩＤデータのファイル名も更新する。もちろん、このとき内蔵メモリ１４のファイル名も同じように変更する。図４では、ファイル転送処理時にファイル名を変更（ファイル名＋″ｇ″）している例、すなわちファイル″ｄｓｃ００２３３５．ｊｐｇ″を″ｇｄｓｃ００２３３５．ｊｐｇ″（ＩＤデータ５３′，５４′に対応）としている例を記載している。すなわち、ホームサーバ２に転送されたファイルのファイル名を変更してホームサーバ２側に記憶し、さらに携帯機器１側のＩＤデータメモリ内のファイル名も同様のファイル名に変更した例を示している。これはホームサーバ２上のファイルであることを明示し、携帯機器１上にのみ存在するファイルとの区別を付けるために行ったものである。勿論、このときに携帯機器１及びホームサーバ２双方のファイルのファイル名を変更しなくてもよい。
【００３６】
この転送を終えた画像ファイルのＩＤデータでさえ、必ずしも携帯機器１側のデータ管理装置１５に存在する必要はなく、ＩＤデータメモリに空きが無くなった場合には新しい（ＩＤが異なる）ＩＤデータによって上書きされる対象となる。このように本発明ではＩＤデータメモリのオーバーフローについても起こることがなく、ホームサーバ２の容量の許す限りの撮影を可能とする。ただし、上書き可能なＩＤデータは記憶場所データが″ｇｌｏｂａｌ″（又は″ｌｏｃａｌ／ｇｌｏｂａｌ″；ただしその携帯機器の画像ファイルの消去を伴う）となっているものに限られる。
【００３７】
もし、通信の遮断などにより転送に失敗した場合はＩＤデータは更新されない。そして、通信が可能になるのを待つ。この場合には、通常のデジタルカメラの使い方と同様になるため、ＭＰＵ１１に通信不能の通知を行ない、ＭＰＵ１１は使用者に警告を発する。通信が可能になった時点で自動的に画像ファイルの転送は再試行される。
【００３８】
次にデジタルカメラで撮影した場合の動作について順に説明する。
使用者から撮影指示があった時（図１では入力装置は省略）、ＭＰＵ１１はＣＣＤ１２から画像データを読み出し、一時的記憶装置に画像ファイルを構築する（図１では一時記憶装置は省略）。ＭＰＵ１１は画像ファイルを内蔵メモリ１４に格納する前に、データ管理装置１５に新しいＩＤの生成を指示し、データ管理装置１５からＩＤを受け取る。ＭＰＵ１１は受け取ったＩＤに画像ファイルの格納場所（この場合は内蔵メモリ１４）とファイル名、ファイルサイズなどをまとめたＩＤデータを作り、データ管理装置１５にＩＤデータの登録を指示する。その後、画像ファイルを内蔵メモリ１４に格納する。この時点ではＩＤデータの記憶場所データは″ｌｏｃａｌ″となっている。
【００３９】
さらに、通信可能領域にいる場合は上述のように、無線通信装置１６を通しホームサーバ２との通信を確立する。確立できた場合は画像ファイルを、ホームサーバ２のグローバルデータ記憶装置２４に転送する。転送した画像ファイルのＩＤデータは新しいＩＤデータに付け替えられる。このときＩＤデータの記憶場所データは″ｌｏｃａｌ／ｇｌｏｂａｌ″となる。これは、上述した消去可能マークである。
【００４０】
さらに、データ管理装置１５は内蔵メモリ１４の残り容量をＩＤデータ群から算出し、もし残量が設定値（自由に設定可能とする）以下になった場合、消去可能マークのついているＩＤデータに対応する画像ファイルを内蔵メモリ１４から消去する。消去に成功すると、ＩＤデータの消去可能マークを削除し、記憶場所データを″ｇｌｏｂａｌ″とする。これにより、内蔵メモリ１４はいつでも一定量の空きがあることになり、ＦＵＬＬになることがなく、デジタルカメラの撮影を楽しむことができる。
【００４１】
さらにデジタルカメラで撮影した画像ファイルを閲覧する方法を説明する。
閲覧の方法には様々な方法があり、一覧で表示する方法、使用者の指示により探し出した画像を表示する方法などが考えられる。ここで、使用者の指示により探し出した画像を表示できれば、他の全ての閲覧方法は応用により実現できるので、その方法のみを説明する。使用者からの閲覧指示は仮に日付と撮影番号を入力し、該当する画像ファイルを表示するものであるとしよう。本来なら、内蔵メモリ１４に格納されていて即座に閲覧できる画像ファイルや直前に撮影した画像ファイルなどをすぐに閲覧できる方法があると便利なのだが、それは応用でいくらでも可能なので、ここでは言及しない。
【００４２】
図５及び図６は、それぞれ本発明の一実施形態に係るデータ保存システムにおける携帯機器でのファイル閲覧時のＩＤデータメモリ内のＩＤデータ処理方法の一例を説明するための図である。
図５を参照してＩＤデータが携帯機器側のＩＤデータメモリに存在する場合の閲覧に係わる処理を、携帯機器１側のＩＤデータメモリ内にＩＤデータ（ＩＤデータ群）６１が、ホームサーバ２側のＩＤデータメモリ内にＩＤデータ（ＩＤデータ群）６２が、それぞれ記憶されており、ＩＤ番号が″００１２００１０１０１００００１″のファイル（ＩＤデータ６３に対応）を呼び出す場合を例として説明する。一方、図６を参照してＩＤデータがホームサーバ側のＩＤデータメモリに存在する場合の閲覧に係わる処理を、携帯機器１側のＩＤデータメモリ内にＩＤデータ（ＩＤデータ群）７１が、ホームサーバ２側のＩＤデータメモリ内にＩＤデータ（ＩＤデータ群）７２が、それぞれ記憶されており、ＩＤ番号が″００１２００１０１０１００００１″のファイル（ＩＤデータ７３に対応）を呼び出す場合を例として説明する。なお、図５を参照した説明を基本として、図６を参照した説明をしばしば括弧書きで説明する。
【００４３】
使用者により日付と撮影番号が入力されると、ＭＰＵ１１はそのデータからＩＤ番号６４（７４）を生成する。この例では日付と撮影番号に機器ＩＤを付加してＩＤ番号６４（７４）を生成する。ただし、検索して閲覧する場合については図７を参照して後述する。ＭＰＵ１１は、このＩＤ番号６４（７４）をデータ管理装置１５に送りＩＤデータを要求する。データ管理装置１５は、指示されたＩＤ番号がＩＤデータメモリに格納されているかどうか検査する。もし、格納されていればそのＩＤデータをＭＰＵ１１に送信する。図５の例では、ＩＤ番号６４に対応するＩＤデータはＩＤデータ６３としてＩＤデータ群６１に存在するので、ＩＤデータ６３をＭＰＵ１１に送る。図６の例のように、もし格納されていない時はホームサーバ２のデータ管理装置２２を無線通信で呼び出し、ＩＤ番号７４を指示してＩＤデータ７３′を取得し、その後、そのＩＤデータ７３′をＭＰＵ１１に送信する。もし、グローバルデータ記憶装置２４にも対応するデータがなければエラーが返り、それは最終的に使用者に提示される。
【００４４】
ＭＰＵ１１は携帯機器１（ホームサーバ２）のＩＤデータメモリから受け取ったＩＤデータ６３′（７３′）から、目的の画像ファイルがどこに存在するかを知ることとなる。もし、内蔵メモリ１４であれば内蔵メモリ１４から目的のファイルを取り出し液晶ディスプレイ１３に画像を表示する。もし、図５に示す例（ＩＤデータ６３′の記憶場所は″ｇｌｏｂａｌ″となっている）及び図６に示す例（ＩＤデータ７３′の記憶場所は″ｇｌｏｂａｌ″となっている）のように、グローバルデータ記憶装置２４に目的の画像ファイルがあれば、無線通信でホームサーバ２のグローバルデータ記憶装置２４から画像ファイルを一時格納記憶装置に呼び出し、液晶ディスプレイ１３に表示する。このとき同時にＩＤデータも取得する。その後、使用者の指示があった場合は画像表示を終了する。
【００４５】
このとき、グローバルデータ記憶装置２４から画像ファイルを呼び出した場合には再度この画像を表示する可能性を考え、内蔵メモリ１４に一時的に保存しておくと便利である。これには、ホームサーバ２から送られてきたＩＤデータにより、内蔵メモリ１４のＩＤデータ６３をＩＤデータ６３″に更新する（図５のＩＤデータ群６５参照）、又は内蔵メモリ１４のＩＤデータ群７１にＩＤデータ７３″を追加する（図６のＩＤデータ群７５参照）ことにより実現できる。同時にＩＤデータのファイル名に従い画像ファイルも内蔵メモリ１４に保存する。ＩＤデータ６３″（７３″）の記憶場所データ６７（７７）を″ｌｏｃａｌ／ｇｌｏｂａｌ″として保存するので、この画像ファイルは前述のように内蔵メモリ１４が足りなくなった場合は消去される対象となる。
【００４６】
（実施例２）
さて、使用者が新たにデジタルカメラをもう一台購入した場合を想定する。
新しいデジタルカメラをホームサーバ２に登録すると先ほどのデジタルカメラと異なる機器ＩＤがホームサーバ２によって付与される。これにより、新しいデジタルカメラも同じホームサーバ２にデータを自動転送できるようになる。ところで、同じホームサーバ２を使って同じ画像ファイルを蓄積しているのであれば、新しいデジタルカメラのほうで古いデジタルカメラの画像ファイルを呼び出したい衝動に駆られるはずである。
【００４７】
本発明の他の実施形態として、このような呼び出しを可能とするために、上述のごときシステムのデータ管理装置１５，２２にデジタルデータの種類を管理する手段をさらに追加することにより、任意の機器から、同種の或いは互換性のあるデジタルデータを生成する他の機器が生成したデジタルデータにもアクセスできるようにすることが好ましい。すなわち、本発明のデータ管理装置１５，２２の管理するＩＤデータにデジタルデータの種類を付加して、これを管理する種類管理機能を追加する。種類管理機能は、種類データが一致するＩＤデータをフィルタリング機能と、その携帯機器で使用できる種類データを保持する機能を持つ。種類データは携帯機器のデータ管理装置１５に予め設定されているもので、生成されたデジタルデータにより相応しい値が割り当てられる。
【００４８】
以下に新しいデジタルカメラから先ほどのデジタルカメラの映像を取り出す動作を示す。
この場合、画像ファイルの閲覧の手順は先ほどのものと異なり、まず条件に一致する画像ファイルを使用者に提示してから、実際に閲覧する画像を選んでもらうという手順をとる。使用者からの閲覧指示は日付を入力し、その日付に該当する画像ファイルを全て提示し、その中から実際に閲覧する画像ファイルを選択するとしよう。使用者により日付が入力されると、ＭＰＵ１１はそのデータから検索ＩＤを生成する。検索ＩＤはＩＤの一部しか設定されず、その他の情報が付加されていないＩＤであり、付加されていない部分はどんな値のＩＤとも一致するとする。実施例１のように携帯機器で別々にデジタルデータを扱う場合は、機器ＩＤと撮影日付からなる検索用ＩＤを生成する。しかし、ここでは機器を限定しないため機器ＩＤも設定しない、撮影日付だけの検索用ＩＤを生成する。
【００４９】
図７は、本発明の一実施形態に係るデータ保存システムにおける携帯機器のファイル検索時のＩＤデータメモリ内のＩＤデータ処理方法の一例を説明するための図である。
今、携帯機器１側のＩＤデータメモリ内にＩＤデータ（ＩＤデータ群）８１が、ホームサーバ２側のＩＤデータメモリ内にＩＤデータ（ＩＤデータ群）８２が、それぞれ記憶されており、ＩＤ番号が″＊＊＊２００１０１０１＊＊＊＊＊″のファイルを検索する場合を考える。また、種類データ８１ｅ，８２ｅの例として、デジタルカメラの画像ファイルの種類データを″ｐｈｏｔｏ″、その他の機器のテキストファイルのものを″ｔｅｘｔ″とする。
【００５０】
検索用ＩＤ（検索用ＩＤ番号）８５が生成されるとデータ管理装置１５は、その検索用ＩＤ８５と一致するＩＤデータ８３，８４をリストアップする。また、同時にホームサーバ２のデータ管理装置２２を無線通信で呼び出し、検索用ＩＤ８５を指示して一致するＩＤデータのリスト８６を取得し、先ほどのリスト（ＩＤデータ８３，８４からなるリスト）と合成する。合成に際してホームサーバ側のＩＤデータと携帯機器側のＩＤデータが一致するもの（ファイル″ｇｄｓｃ０００１０２．ｊｐｇ″が該当）は、一つのＩＤデータとする作業を行う。合成が終了するとデータ管理装置１５は携帯機器で扱えない種類データをもつＩＤデータを種類管理機能でフィルタリングし、扱える種類データをもつＩＤデータだけにしてそのリスト８７をＭＰＵ１１に通知する。これが検索結果となる。このように、種類データは携帯機器で表示できないデータを誤って呼び出すことがないように使用される。種類データが″ｐｈｏｔｏ″でないものは削除されるが、異なる機器ＩＤのＩＤデータ８８（ここでは″００２２００１０１０１０００１″）は結果として取得されることとなる。
【００５１】
ＭＰＵ１１はそのリストを使用者に提示して、一つのＩＤデータを選択させる。ＭＰＵ１１は選択されたＩＤデータのＩＤ部分をデータ管理装置１５に指示し、画像ファイルの呼び出しを要求する。
これ以降の動作は実施例１と同じとなり、説明を省略する。
【００５２】
【発明の効果】
以上、本発明によりいつでも内蔵メモリのバックアップとＦｕｌｌを心配をすること無く、撮影を楽しむことのできるデジタルカメラなどの携帯機器を実現でき、携帯機器をメモリ容量の束縛から開放することができる。また、グローバルなデータ領域をいろいろな携帯機器で共通に使用できるので、別の携帯機器でも同じデータ領域を共有することになり、マルチメディアデータなどの管理も非常に楽になる。
【図面の簡単な説明】
【図１】本発明の一実施形態に係る携帯機器におけるデータ保存システムの一構成例を示す図である。
【図２】本発明の一実施形態に係るデータ保存システムにおいて取り扱うＩＤデータの一例を示す図である。
【図３】本発明の一実施形態に係るデータ保存システムにおける携帯機器側及びホームサーバ側のＩＤデータメモリの内容例を示す図である。
【図４】本発明の一実施形態に係るデータ保存システムにおける携帯機器からホームサーバへのファイル転送時のＩＤデータメモリ内のＩＤデータ処理方法の一例を説明するための図である。
【図５】本発明の一実施形態に係るデータ保存システムにおける携帯機器でのファイル閲覧時のＩＤデータメモリ内のＩＤデータ処理方法の一例を説明するための図である。
【図６】本発明の一実施形態に係るデータ保存システムにおける携帯機器でのファイル閲覧時のＩＤデータメモリ内のＩＤデータ処理方法の一例を説明するための図である。
【図７】本発明の一実施形態に係るデータ保存システムにおける携帯機器のファイル検索時のＩＤデータメモリ内のＩＤデータ処理方法の一例を説明するための図である。
【図８】従来技術による携帯機器の構成を示す図である。
【符号の説明】
１…携帯機器、２…ホームサーバ、３…ネットワーク、１１…携帯機器側のＭＰＵ、１２…デジタルデータ発生装置、１３…表示装置又は表示信号出力装置、１４…ローカルデータ記憶装置、１５…携帯機器側のデータ管理装置、１６…無線通信装置、２１…ホームサーバ側のＭＰＵ、２２…ホームサーバ側のデータ管理装置、２３…通信装置、２４…グローバルデータ記憶装置。
【図１】
2004013628.tif 000003
【図２】
2004013628.tif 000004
【図３】
2004013628.tif 000005
【図４】
2004013628.tif 000006
【図５】
2004013628.tif 000007
【図６】
2004013628.tif 000008
【図７】
2004013628.tif 000009
【図８】
2004013628.tif 000010